(57)【要約】【課題】卓球の試合開始前における相手選手使用に係るラバーの特性が、その場で明確に判断できる卓球用ラバー早わかりシートの提供。【解決手段】台紙（１）の表面に、各メーカー（２）における各種ラバーの商品名（３）及びこれら各種ラバーの材質や特性（４）を表示した卓球用ラバー早わかりシート。【選択図】図１
0003101533.tif 000002
【実用新案登録請求の範囲】
【請求項１】
台紙の表面に、各メーカーにおける各種ラバーの商品名と、これら各種ラバーの材質や特性を文字にて表示した卓球用ラバー早わかりシート。
【請求項２】
台紙の表面に、各メーカーにおける各種アンチ系ラバーや粒高ラバー等の異質ラバーの商品名と、これら各種異質ラバーの材質や特性を文字にて表示した卓球用ラバー早わかりシート。
【請求項３】
各種ラバーや各種異質ラバーのうち特性の異なるラバーについては、その表示欄に色彩を付したり網かけ処理を施すなりして識別を容易にした請求項１又は２記載の卓球用ラバー早わかりシート。
【請求項４】
台紙が、１枚のシート又は複数枚のシート綴り或いは折りたたみ可能な蛇腹状シートである請求項１ないし３のいずれかに記載の卓球用ラバー早わかりシート。
【考案の詳細な説明】
【考案の詳細な説明】
【技術分野】
【０００１】  本考案は、卓球の試合開始前における相手選手使用に係るラバーの特性がその場で素早く明確に判断できるようにした卓球用ラバー早わかりシートに関するものである。
【背景技術】
【０００２】  従来、卓球の試合に先立ち、審判立ち合いのもとに相手選手が使用しているラケットのラバーの確認を行なっている。このラバーの確認は、相手選手からの返球の特性を判断して対応する上で重要な行為であるが、通常はラバーを目視にて確認しただけではそのラバーがどのような特性を有するラバーであるかを判断することは難しい。【０００３】  従って、相手選手のラバーの特性については、試合を開始して相手選手の打球を受け、その意外性を体験して初めてそのラバーの特殊性に気付くことになるが、これがわかるのに試合開始から、１〜２球要することになる。従来は１セット２１本であったため１セットのうち１〜２球の占める割合は小さかったが、平成１３年９月１日からは１セット１１本になったため、この１〜２球の占める割合は大きく、試合上不利になる。【０００４】  また、卓球用ラバーの製造販売メーカー（財団法人日本卓球協会公認のメーカー）は国内外を合わせて多数存在しており、さらに各メーカーにおいても数種類から多いところでは数十種類以上のラバーを販売している。そして、これら各メーカーの卓球用ラバーのカタログには各種ラバーの商品名（型番を含む）とそのラバーの材質や特性が詳細に記載されているが、これらラバーの現物には、通常、メーカー名又はそのメーカーを示す商標名とそのラバーの商品名程度しか表示されていない。
【考案が解決しようとする課題】
【０００５】  従って、ラケットに貼られたラバー上の表示からラバーのメーカー名又は商標名やそのラバーの商品名と型番を確認したところで、そのラバーが汎用されているラバーか特殊な性質を有するラバーであるかの判断は、自分が熟知しているものでない限り難しい。
【課題を解決するための手段】
【０００６】  本考案は前記の課題を解決するもので、台紙の表面に、ラバー上の表示に対応するメーカー名又は商標名と、そのラバーの材質や特性を別に記載した早わかりシートを作成して保持し、相手選手のラバー上の表示を確認した際、その表示と早わかりシートの記載とを照合することにより、そのラバーの材質や特性を直ちに確認可能とし、試合開始時から相手選手の打球に的確に対応できるようにして、１球でもミスを削減するようにしたものである。
【０００７】  即ち、本考案の第１は、台紙の表面に、各メーカーにおける各種ラバーの商品名と、これら各種ラバーの材質や特性を文字にて表示した卓球用ラバー早わかりシートである。
【０００８】  また、本考案の第２は、台紙の表面に、各メーカーにおける各種アンチ系ラバーや粒高ラバー等の異質ラバーの商品名と、これら各種異質ラバーの材質や特性を文字にて表示した卓球用ラバー早わかりシートである。
【０００９】  また、本考案の第３は、前記第１、第２の考案において、各種ラバーや各種異質ラバーのうち特性の異なるラバーについては、その表示欄に色彩を付したり網かけ処理を施すなりして識別を容易にした卓球用ラバー早わかりシートである。
【００１０】  また、本考案の第４は、前記第１、第２及び第３の考案において、台紙が、１枚のシート又は複数枚のシート綴り或いは折りたたみ可能な蛇腹状シートである卓球用ラバー早わかりシートである。
【考案を実施するための最良の形態】
【００１１】  本考案に係る卓球用ラバー早わかりシートの一実施形態を図に示す実施例に基づき説明する。【００１２】  図１は、本考案に係る卓球用ラバー早わかりシートの基本的な構成を示すもので、１枚の台紙（１）の表面に、卓球用ラバーの各メーカー名及びそのメーカーを示す商標名（２）を表示すると共に、その横に、ラバー上に表示されている各種ラバーの商品名（３）及びこれら各種ラバーの特性（材質を含む）（４）が表示されている。【００１３】  前記各メーカーにおける各種ラバーの種類、即ち商品名は、そのメーカーが販売しているラバー全種を表示してもよいし、図示のように代表的なラバー、即ち、数種の汎用ラバーとアンチラバーや粒（ツブ）高ラバーのような異質ラバーを選択して表示してもよい。【００１４】  前記台紙（１）は、１枚でもよいし複数枚でもよく、また１枚の台紙の表裏両面を用いてもよい。台紙（１）の大きさや枚数は表示するメーカーの数や各種ラバーの表示数に応じて定めればよく、大きさとしてはラケットケースに入る程度のものが望ましい。【００１５】  図２は、本考案に係る卓球用ラバー早わかりシートの別の形態を示すもので、小型（Ａ６〜Ｂ４程度）のカード型のシートを開閉可能なリング（５）にて綴ったものである。この図２に示す商品名の表示形態は、図１に示す形態と異なり、各メーカー別にラバー面の表示とカタログ上の表示（カタログには英文字表示に加え、その読み方をカタカナにて表示して、わかりやすくしている場合がある。）を並記したものであるが、必ずしもこの表示形態に限定されるものではなく、ラバー面の表示とカタログ上の表示が統一されているラバーについては図１に示す表示形態でよい。【００１６】  なお、この図２に示す形態のラバー早わかりシートの場合には、各メーカーにてラバーの追加や表示事項に変更があった場合、リング（５）を開いてそのメーカーのシートのみを交換することができるというメリットがある。【００１７】  図３は、本考案に係る卓球用ラバー早わかりシートのさらに別の形態を示すもので、台紙（１）として折りたたみ可能な蛇腹状シートを用いたものである。この図３に示すラバー早わかりシートについても、商品名やその特性の表示については特に限定されるものではなく、自由である。【００１８】  なお、前記各ラバー早わかりシートの特性表示欄には多少の空欄（図示せず）を設けておき、この空欄に、そのラバーに対する自分なりの対応策を追記できるようにしておくと便利である。【００１９】  前記各実施形態のラバー早わかりシートにおいて特性の異なるラバーにつぃては、必要によりそのラバーの表示欄に異なる色彩を付したり各種の網かけ処理を施すなりして、そのラバーが他のラバーと異質であることを一目にて識別できるようにしてもよい。【００２０】  前記色彩付けや網かけ処理は、多種の色彩や網目を使い分け、それぞれ異なるメーカーの同種ラバーには同色を付したり同種の網目を施すことにより、その特性を把握しやすいようにすることができる。
【使用方法と考案の効果】
【００２１】  本考案に係る卓球用ラバー早わかりシートの使用方法について説明する。
【００２２】  第１セットのゲーム開始時に相手選手の使用するラケットのラバーを目視にて相互に確認するが、外観以外そのラバーを特定する表示としてはメーカー名又はそのメーカーを示す商標名とラバーの商品名（型番を含む）のみである。従って、各メーカーがそれぞれ微妙に異る特性を備えたラバーを多種類販売している現状において、商品名や型番だけではそのラバーの特性を認識することは、自らも同じラバーを使っていない限り難しい。
【００２３】  そこで、本考案に係る前記卓球用ラバー早わかりシートをラバー確認の際持ち出し、相手選手のラバーのメーカー名又はそのメーカーの商標名と商品名を早わかりシートのラバー一覧の中から探して、そのラバーの特性表示からどのような特性を備えたラバーであるかを確認して試合に臨む。
【００２４】  前記ラバー確認の際、そのラバー欄に色彩が付されている場合には、特性の異なる異質ラバーであることが直ちに認識できるため、その特性に対応して試合に臨むことができる。
【００２５】  上述のように、本考案に係る卓球用ラバー早わかりシートを使用すれば、試合に先立ち、相手選手のラバーの特性が認識できるので、試合の最初から効果的な試合運びが可能となる。この効果は１セットが１１本となった現在の卓球の試合には大きな効果であり、試合を最初から有利に進めることができる。
【図面の簡単な説明】
【図１】本考案に係る卓球用ラバー早わかりシートの表面図。
【図２】本考案に係る卓球用ラバー早わかりシートの他の例の斜視図。
【図３】本考案に係る卓球用ラバー早わかりシートの他の例の斜視図。
【符号の説明】
１        台紙
２        メーカー名又は商標名
３        ラバーの商品名
４        ラバーの特性
５        リング
【図１】
0003101533.tif 000003
【図２】
0003101533.tif 000004
【図３】
0003101533.tif 000005
【手続補正書】
【提出日】平成15年12月10日(2003.12.10)
【手続補正１】
【補正対象書類名】実用新案登録請求の範囲
【補正対象項目名】全文
【補正方法】変更
【補正の内容】
【実用新案登録請求の範囲】
【請求項１】
台紙の表面に、「メーカー」欄、「商品名」欄および「特性」欄が設けられ、前記「メーカー」欄には卓球用ラバーの各メーカー名を表示し、「商品名」欄には各メーカーにおける各種ラバーの商品名を表示し、「特性」欄にはこれら各種ラバーの材質や特性を文字にて表示した卓球用ラバー早わかりシート。
【請求項２】
台紙の表面に、「メーカー」欄、「商品名」欄および「特性」欄が設けられ、前記「メーカー」欄には卓球用ラバーの各メーカー名を表示し、「商品名」欄には各メーカーにおける各種アンチ系ラバーや粒高ラバー等の異質ラバーの商品名を表示し、「特性」欄にはこれら各種異質ラバーの材質や特性を文字にて表示した卓球用ラバー早わかりシート。
【請求項３】
各種ラバーや各種異質ラバーのうち特性の異なるラバーについては、そのラバーの「メーカー」欄、「商品名」欄又は「特性」欄等の表示欄に色彩を付したり網かけ処理を施すなりして識別を容易にした請求項１又は２記載の卓球用ラバー早わかりシート。
【請求項４】
台紙が、１枚のシート又は複数枚のシート綴り或いは折りたたみ可能な蛇腹状シートである請求項１ないし３のいずれかに記載の卓球用ラバー早わかりシート。
【手続補正２】
【補正対象書類名】明細書
【補正対象項目名】０００７
【補正方法】変更
【補正の内容】
【０００７】  即ち、本考案の第１は、台紙の表面に、「メーカー」欄、「商品名」欄および「特性」欄が設けられ、前記「メーカー」欄には卓球用ラバーの各メーカー名を表示し、「商品名」欄には各メーカーにおける各種ラバーの商品名を表示し、「特性」欄にはこれら各種ラバーの材質や特性を文字にて表示した卓球用ラバー早わかりシートである。
【手続補正３】
【補正対象書類名】明細書
【補正対象項目名】０００８
【補正方法】変更
【補正の内容】
【０００８】  また、本考案の第２は、台紙の表面に、「メーカー」欄、「商品名」欄および「特性」欄が設けられ、前記「メーカー」欄には卓球用ラバーの各メーカー名を表示し、「商品名」欄には各メーカーにおける各種アンチ系ラバーや粒高ラバー等の異質ラバーの商品名を表示し、「特性」欄にはこれら各種異質ラバーの材質や特性を文字にて表示した卓球用ラバー早わかりシートである。
【手続補正４】
【補正対象書類名】明細書
【補正対象項目名】０００９
【補正方法】変更
【補正の内容】
【０００９】  また、本考案の第３は、前記第１、第２の考案において、各種ラバーや各種異質ラバーのうち特性の異なるラバーについては、そのラバーの「メーカー」欄、「商品名」欄又は「特性」欄等の表示欄に色彩を付したり網かけ処理を施すなりして識別を容易にした卓球用ラバー早わかりシートである。
【手続補正５】
【補正対象書類名】明細書
【補正対象項目名】００１２
【補正方法】変更
【補正の内容】
【００１２】  図１は、本考案に係る卓球用ラバー早わかりシートの基本的な構成を示すもので、１枚の台紙（１）の表面に、「メーカー」欄、「商品名」欄および「特性」欄が設けられ、この「メーカー」欄には卓球用ラバーの各メーカー名及びそのメーカーを示す商標名（２）を表示すると共に、その横に、「商品名」欄と「特性」欄が設けられ、前記「商品名」欄にはラバー上に表示されている各種ラバーの商品名（３）を表示し、「特性」欄にはこれら各種ラバーの特性（材質を含む）（４）が表示されている。
【手続補正６】
【補正対象書類名】明細書
【補正対象項目名】００１５
【補正方法】変更
【補正の内容】
【００１５】  図２は、本考案に係る卓球用ラバー早わかりシートの別の形態を示すもので、小型（Ａ６〜Ｂ４程度）のカード型のシートを開閉可能なリング（５）にて綴ったものである。この図２に示す商品名の表示形態は、図１に示す形態と異なり、各メーカー別にラバー面の表示とカタログ上の表示（カタログには英文字表示に加え、その読み方をカタカナにて表示して、わかりやすくしている場合がある。）を「ラバー面表示」の欄と「カタログ表示」の欄を設けて並記したものであるが、必ずしもこの表示形態に限定されるものではなく、ラバー面の表示とカタログ上の表示が統一されているラバーについては図１に示す表示形態でよい。